(57)【要約】  本発明は、原動機付き車両の開口（６）が設けられた車体部分（４）、特に車体屋根（４）にアンテナを取り付けるためのアンテナ支持装置（２）に関する。アンテナ支持装置（２）は、車体部分（４）の内側又は背面側から開口（６）を介して差し込み可能な、ねじブッシュ（３６）を有する固定部（１２）を備えるアンテナ基部（８）と、アンテナ基部（８）を車体部分（４）の外側又は上面に固定するために、突出しているねじブッシュ（３６）に螺合可能なねじナット（４０）とを備え、アンテナ基部（８）は、ねじナット（４０）の螺合の際に、固定部（１２）と開口（６）の縁部（４２）との間で作用する相対回転防止部により、且つ係止エレメント（２４）と開口（６）の縁部（４２）との係止により、移動不能に車両部分に固定可能である。ねじナット（４０）の螺合の際に係止位置において係止エレメント（２４）を拘束し、及び／又はねじナット（４０）の螺合解除の際に係止エレメント（２４）を解除するために装置（３２，７０）が設けられている。
2008514064.tif 000002
【特許請求の範囲】
【請求項１】
原動機付き車両の開口が設けられた車体部分、特に車体屋根にアンテナを取り付けるためのアンテナ支持装置であって、車体部分の内側又は背面側から開口を介して差し込み可能な、ねじブッシュを有する固定部を備えるアンテナ基部と、該アンテナ基部を車体部分の外面又は上面に固定するために、前記突出しているねじブッシュに螺合可能なねじナットとを備え、前記アンテナ基部が、前記ねじナットの螺合の際に、前記固定部と前記開口の縁部との間で作用する相対回動防止部により、且つ係止エレメントと開口の縁部との係止により、移動不能に車両部分に固定可能である形式のものにおいて、ねじナット（４０）の螺合の際に係止位置において係止エレメント（２４）を拘束し、及び／又はねじナット（４０）の螺合解除の際に係止エレメント（２４）を解除する装置（３２，７０）を設けてある、ことを特徴とするアンテナ支持装置。
【請求項２】
装置（３２，７０）は、係止エレメント（２４）に結合された係止及び解除舌部（３２）を有し、該係止及び解除舌部（３２）は、ねじナット（４０）の螺合の際にねじブッシュ（３６）の凹部（５０）内に確保され、係止及び解除舌部（３２）は、ねじナット（４０）の螺合解除の際に、係止エレメント（２４）の係止位置からの離脱によって、凹部（５０）から移動可能にされる、請求項１記載のアンテナ支持装置。
【請求項３】
係止及び解除舌部（３２）は、ねじブッシュ（３６）の内部に対向配置された縦方向凹部（５０）内に形状結合式に、つまり形状による束縛を伴ってはまり込む、請求項２記載のアンテナ支持装置。
【請求項４】
係止及び解除舌部（３２）は、ねじブッシュ（３６）の自由端の上方に突出している、請求項２又は３記載のアンテナ支持装置。
【請求項５】
装置（３２，７０）は係止張り出し部（７０）を有しており、該係止張り出し部（７０）はねじナット（４０）に関して回転可能であり、係止張り出し部（７０）はねじブッシュ（３６）のスリット開口（５２）を介して該ねじブッシュの内部に突入して、係止及び解除舌部（３２）を凹部（５０）内に確保する、請求項２〜４のいずれか１項記載のアンテナ支持装置。
【請求項６】
係止張り出し部（７０）は爪付きリング（６０）に一体に結合されており、該爪付きリング（６０）はねじナット（４０）の螺合の際に車両部分（４）の外面内に食い込む、請求項５記載のアンテナ支持装置。
【請求項７】
係止エレメント（２４）及び係止及び解除舌部（３２）は、アンテナ基部（８）から独立する、アンテナ基部（８）の開口内にはめ込み可能なプラスチック部（１６）に形成されている、請求項２〜６のいずれか１項記載のアンテナ支持装置。
【請求項８】
固定部（１２）は側部に、係止エレメント（２４）の部分（３０）を受容する切欠き（４４）を有する、請求項１〜７のいずれか１項記載のアンテナ支持装置。
【請求項９】
アンテナ、特に原動機付き車両用のルーフアンテナであって、請求項１〜８記載のアンテナ支持装置（２）を備えることを特徴とする、アンテナ。
【請求項１０】
車体部分によって支持された、アンテナ支持装置を備えるアンテナを有する原動機付き車両であって、前記アンテナ支持装置は、
車体部分の内側から車体部分の開口を介して突出し、且つねじブッシュを有する固定部を備えるアンテナ基部と、
車体部分の外側にアンテナ基部を取り付けるために、ねじブッシュに螺合されるねじナットと、
固定部と開口の縁との間において作用する相対回動防止部と、
ねじナットを螺合する際にアンテナ基部を車体部分に固定する、開口の縁と係止状態になる係止エレメントと、を備える形式のものにおいて、
係止エレメント（２４）が変形可能に形成された解除舌部（３２）に接続されており、該解除舌部（３２）がねじブッシュ（３６）の自由端まで延びている、ことを特徴とする原動機付き車両。
【発明の詳細な説明】
【技術分野】
【０００１】
本発明は、請求項１の上位概念に係る、原動機付き車両の開口が設けられた車体部分にアンテナを取り付けるためのアンテナ支持装置、請求項９の上位概念に係る、このような支持装置を有するアンテナ、及び請求項１０の上位概念に係る、車体部分によって支えられたアンテナ支持装置を有する原動機付き車両に関する。
【０００２】
背景技術
原動機付き車両のルーフアンテナは一般に、棒状アンテナとして形成されており、このアンテナの支持装置は、車両の屋根に固定するアンテナ基部を有している。アンテナ基部は通常、車両の内部で、ルーフライナ内における屋根の内側、つまり屋根の背面に配置されており、突出した固定部を有している。この固定部は、アンテナの取り付けの際に、内側から屋根の矩形の開口を貫通して差し込まれる。固定部の外側に突出する部分には雄ねじが設けられており、この雄ねじに外側からねじナットが螺合されて、アンテナ基部が屋根の内側、即ち屋根の背面に固定される。一方、ねじの下方に配置され、上記開口の内部に位置する部分は、開口の横断面に適合する四面角を有する立体として形成されており、この立体は開口の縁部と共に相対回動防止部を形成する。この相対回動防止部は、アンテナ基部の回動を、取り付けの際及び取り付け後に防止する。固定部がねじナットの螺合の際に、四面角を有する立体が開口から外れるまで内側に、即ち下方に移動することを防止するために、アンテナ基部は通常、車両の内部において、手によって固く保持され、このため、２人の作業者又は高度な技能のいずれかが必要であった。
【０００３】
この問題を回避するために、ドイツ連邦共和国特許第４３３６１９１号明細書には、既に、請求項１の上位概念に記載された特徴を有する車両棒状アンテナ用の支持装置が開示されている。この支持装置において、プラスチックから成るアンテナの配線ケーシングは、開口の横断面に適合した形状を有していると共に、この開口の上方において外側に向かって係止フックが設けられている。この係止フックは、車体開口への棒状アンテナの取り付けの際に係止され、これにより、全ソケット構造が、追加の補助、例えばケーシングの支持や反対方向への回転なしに、内側からねじナット及び円盤によって確保され得る。特に、アンテナ基部の突出した部分がねじナットの螺合の際に若干傾いている場合、係止フックの弾性変形の容易性から、アンテナ基部がまず一方の側で、次いで他方の側で開口から外れていくということが起こり得る。加えて、上記従来の構造では、アンテナ交換が必要な場合に、アンテナ基部を分解するために回路ケーシングと開口との間の係止固定を解除するための係止フックへのアクセスが困難であるという更なる不都合が存在する。
【０００４】
発明の利点
これに対して、請求項１記載の特徴を有する本発明に係るアンテナ支持装置は、第一に、係止エレメントは、ねじナットの螺合の際に係止されるため、開口の縁に下方から係止する係止エレメントの係止位置から外れて移動することができず、これにより、取り付けの際に、アンテナ基部の車体部分の開口内での係止の意図しない解除が、確実に防止されるという効果、第二に、アンテナ基部を解体する場合には、所望する係止の解除が、ねじナットの螺合解除の後に極めて容易になされるという効果を奏する。
【０００５】
本発明の有利な形態においては、係止エレメントをねじナットの螺合の際に係止エレメントの係止位置に固定するための、及び／又はねじナットの螺合解除の際に係止エレメントを解放するための装置が、係止エレメントに接続された係止及び解除舌部を有する。この係止及び解除舌部は、ねじナットの螺合の際に、形状結合的に、ねじブッシュの相補的な受容部に確保され、一方、ねじブッシュは、ねじナットの螺合解除の際に、受容部から外れるように移動して、係止エレメントをその係止位置から外すことができる。
【０００６】
係止エレメントを解除するための係止及び解除舌部の動作を簡単にするために、有利には、この係止及び解除舌部は係止エレメントと共にプラスチック材料から製造される。この場合において、係止及び解除舌部は、効果的には、係止及び解除舌部がねじナットの螺合解除後にそのままの状態でアクセスされ、これにより、係止及び解除舌部がその弾性的な変形によって共に押圧されて、係止エレメントが係止位置から離脱するように、ねじブッシュの内部の互いに対向する縦方向凹部を貫通して、好ましくは、ねじブッシュの自由端を超えて延びている。
【０００７】
本発明の更に有利な形態においては、係止及び解除舌部の係止、及びこの係止による係止エレメントの係止は、係止張り出し部を用いて行われる。この係止張り出し部は、ねじナットに回転可能に接続された爪付きリングに形成されており、ねじブッシュのスリット開口を介してねじブッシュの内部に突入して、係止及び解除舌部を縦方向凹部内に確保する。爪付きリングは、効果的には、車体部分を向いた端面に爪が設けられており、当該爪は、ねじナットの螺合の際に車体部分の外側に食い込んで、アンテナ支持装置の固定座として車体部分に作用する。
【０００８】
本発明の更に有利な形態によれば、係止エレメントは、係止及び解除舌部と共に、アンテナ基部から独立するプラスチック部の一部を形成する。この係止エレメントは、車体部分の開口内へ固定部を差し込む前又は後に、アンテナ基部の車体部分に対向する面から受容開口内に、当接ポイントに達するまで挿入される。この当接ポイントにおいて、係止及び解除舌部は、ねじブッシュの内部の凹部内に配置され、係止エレメントは、固定部が車体部分の開口を貫通する際に、この開口の境界縁に係合することができる。
【０００９】
係止エレメントが固定部を貫通して車体部分の開口の縁と係合状態になることを可能にするために、固定部は、特に、側部に切欠きを有している。該切欠きは、効果的には、車体開口の横断面に適合する固定部の基台において、ねじブッシュと内側から車体部分に接するアンテナ基部の基板との間に配置される。
【００１０】
図面
本発明は、後述するように、添付の図面に図示する実施例において、詳細に説明される。図面において、
図１は、原動機付き車両の屋根に取り付ける本発明に係るアンテナ支持装置を部分的に断面して、分解して示す側面図であり、
図２は、アンテナ取り付けの際の固定のために車両の屋根に係止された後の、図１に示すアンテナ支持装置の部分を示す部分断面図であり、
図３は、係止を解除した後の、図２に対応する断面図であり、
図４は、車両の屋根にアンテナ支持装置を固定するための固定エレメントを示す下側から見た斜視図であり、
図５は、アンテナ支持装置のアンテナ基部を示す上側から見た斜視図である。
【００１１】
本発明の実施の形態の説明
図面に図示されたアンテナ支持装置２は、原動機付き車両の屋根４にルーフアンテナ（不図示）を取り付けるために用いられる。屋根４には、アンテナを取り付けようとする所望の部位に、略正方形の開口６が設けられている。
【００１２】
図１に示すように、アンテナ支持装置２は、主に、基板１０を貫通して上方に突出する固定部１２を有しており、内部から、即ち、車室から外側に向かって、開口６を介して屋根４に差し込まれるアンテナ基部８と、突出する固定部１２と接合可能な環状の、アンテナ基部８を屋根４に固定するための固定エレメント１４と、開口６を通して固定部１２を貫通させた後にアンテナ基部８を、図２に示す状態において屋根４に固定させて、固定エレメント１４の取り付けによって、この状態を維持するようにする固定又は位置決め補助部１６とから構成されている。
【００１３】
アンテナ基部８の略円環状の基板１０は、屋根４の下側面に対向する基板１０の上側面に、固定部１２のまわりを囲むパッキン１８が設けられている。パッキン１８は、支持装置２を取り付けることにより基板１０と屋根４の間に挟み込まれて、水分の車両の内部への浸入が防止されるようにする。基板１０には、さらに、アンテナの電子回路やプリント基板（不図示）が取り付けられており、このアンテナは固定部１２の内部のアンテナ導管２０を介して、貫通して、屋根４の外側又は上側面に延びている。この屋根４の外側又は上側面では、アンテナは、固定部１２に固定されたアンテナケーシング（不図示）を介して、貫通して導かれて、上方に向かって屋根４の上方に突出している。
【００１４】
固定部１２の下方において、基板１０は、射出成形部として、弾性的に変形可能な硬質プラスチックから製造された固定又は位置決め補助部１６用の、横断面において矩形の受容開口２２が設けられている。この固定又は位置決め補助部１６は、図１、図２、及び図３に図示された長手方向断面を有しており、２つの独立した係止エレメント２４を含んでいる。これらの係止エレメント２４は、別々の、互いに離れて上に向かって、アンテナケーブル（不図示）用のケーブルガイド２８が設けられた基部２６の上方に突出しており、夫々その反対側の外側面に係止フック３０が設けられており、２つの細長い、横断面が矩形の係止及び解除舌部３２において終端となっており、変形されていない状態において、互いに並行に整列されている。
【００１５】
基板１０に一体に結合されている固定部１２は、主に、開口６内への取り付けのために配置された正方形状の基台３４と、この基台３４の上方に所定の間隔をあけて配置されている、固定エレメント１４のねじナット４０を螺合固定するための雄ねじ３８を有するねじブッシュ３６とから構成されている。
【００１６】
図５に示すように、基台３４は、開口６の開口横断面に対応する横断面を有しており、基台３４は、固定部１２が開口６を貫通して差し込まれて、固定又は位置決め補助部１６によって屋根４に固定された場合に、開口６の境界縁（画定縁）４２と協働して、基板１０の相対回動防止部を形成している。さらに、基台３４は、その４つの境界壁（画定壁）の２つに、対向する切欠き４４（１つのみ図示）が設けられており、固定又は位置決め補助部１６の対向する係止フック３０の両方が、前記切欠き４４を貫通して、開口６の境界縁４２と係合状態となり、固定エレメント１４を固定部１２に螺合固定して、アンテナ基部８を屋根４に対して軸方向に移動不可能に固定する。
【００１７】
固定又は位置決め補助部１６は、図２に示すように、係止フック３０の上部に配置された２つの当接肩部４６が切欠き４４の上方の境界端縁（画定縁）４８に対して当接し、係止フック３０が半径方向外側に向かって切欠き４４から突出するまで、予め、下方から、アンテナ基部８の受容開口２２に差し込まれる。
【００１８】
図３及び図５に示すように、ねじブッシュ３６は、その内部において、固定部１２を貫通して延びるアンテナ通路２０、更に２つの平行する縦方向凹部５０を包囲している。この縦方向凹部５０は、アンテナ通路２０の両側に相対して向かい合っており、アンテナ基部８に組み込まれる固定又は位置決め補助部１６の係止及び解除舌部３２の受容のために機能する。固定又は位置決め補助部１６は、図２に示すように、縦方向凹部５０において、ねじブッシュ３６の自由端を越えて延びている。
【００１９】
ねじブッシュ３６は、さらに、側面にスリット開口５２（図５）が設けられている。このスリット開口５２は、切欠き４４に対して直角な角度位置でねじブッシュ３６の自由端から基台３４まで、ねじブッシュ３６の周壁５４を貫通して延びている。
【００２０】
図１及び図４に示すように、固定エレメント１４は、固定部１２のねじブッシュ３６の雄ねじ３８に螺合固定するための外側六角縁５８を有するねじナット４０のほかに、爪付きリング６０、及びねじナット４０と爪付きリング６０との間に配置されていて周方向の一箇所で中断された固定リング６２を含む。固定リング６２は、ねじナット４０のねじ軸を中心に互いに回転可能に、爪付きリング６０をねじナット４０に接続している。ねじナット４０は、その屋根４方向に向いた端部において、環状の受容溝６４を有しており、この受容溝６４内に、弾性的に変形可能な固定リング６２の隣接の端部に設けられた保持フランジが係合している。固定リング６２は、逆力側の端部に同様に保持フランジを有する。この保持フランジは、爪付きリング６０の内側に向かって曲げられた、屋根４から離れている側の端部６６を背面から把持し、ねじナット４０の相補的な端部に隣接させて保持する。爪付きリング６０は、その屋根４に向いた下面において、突出する爪６８が設けられている。この爪６８は、ねじナット４０をねじブッシュ３６へねじ固定する場合において、上方から屋根４の外面、つまり上面に押し付けられたときに、アンテナ支持装置２の強固な固定のために屋根４に食い込む。図４に示すように、爪付きリング６０は、その端部６６から半径方向内側に向かって突出する、略矩形の張り出し部７０を有しており、この張り出し部７０は、固定リング６２の中断部７２内を遊びを持って延びている。張り出し部７０の横幅は、張り出し部７０が、ねじナット４０をねじブッシュ３６に被せ嵌めた際に、スリット開口５２内に差し込まれ得ると共に、ねじナット４０の螺合の際に、スリット開口５２に沿って移動できるように、ねじブッシュ３６のスリット開口５２の内のり幅よりも若干小さくなっている。張り出し部７０の半径方向突出寸法は、ねじナット４０を有する固定エレメント１４がねじブッシュ３６に装着されて、張り出し部７０がスリット開口５２を介してねじブッシュ３６の内部に導入されると、この張り出し部が、ねじブッシュ３６の内において縦方向凹部５０の前まで延び、固定又は位置決め補助部１６の係止及び解除舌部３２を縦方向凹部５０内に確保するように設定されている。
【００２１】
縦方向凹部５０内での係止及び解除舌部３２の係止（確保）は、アンテナ基部８の固定部１２がねじナット４０のねじ固定の際に、開口６において多少傾けられた場合に、係止フック３０それ自体が、意図せずに、開口６の境界縁４２の上方の係止位置から解放され得ないように、係止エレメント２４の変形を防止する。
【００２２】
他方、係止フック３０は、アンテナ支持装置２の交換が必要な場合に、アンテナ基部８の取り外しのために、容易に係止位置から解放され得る。この場合、固定エレメント１４のねじ固定を取り外した後に、ねじブッシュ３６の端部上方に突出する係止及び解除舌部３２の端部を共に押圧して、図３に示すように、開口６の境界縁４２との係合を解除する。
【図面の簡単な説明】
【００２３】
【図１】原動機付き車両の屋根に取り付ける本発明に係るアンテナ支持装置を部分的に断面して、分解して示す側面図である。
【図２】アンテナ取り付けの際の固定のために車両の屋根に係止された後の、図１に示すアンテナ支持装置の部分を示す部分断面図である。
【図３】係止を解除した後の、図２に対応する断面図である。
【図４】車両の屋根にアンテナ支持装置を固定するための固定エレメントを示す下側から見た斜視図である。
【図５】アンテナ支持装置のアンテナ基部を示す上側から見た斜視図である。
【図１】
2008514064.tif 000003
【図２】
2008514064.tif 000004
【図３】
2008514064.tif 000005
【図４】
2008514064.tif 000006
【図５】
2008514064.tif 000007
【国際調査報告】
2008514064.tif 000008
2008514064.tif 000009
2008514064.tif 000010
2008514064.tif 000011
2008514064.tif 000012
2008514064.tif 000013